(57)【特許請求の範囲】
【請求項１】
ディスプレイデバイス用のアンビエンス照明システムであって、
前記ディスプレイデバイスの背後の壁にアンビエンス光を放射するための、前記ディスプレイデバイスの周辺又はその背面に取り付けられた少なくとも１つの光源と、
壁の色を示す色情報を受信するための入力手段と、
壁から前記ディスプレイデバイスの表示エリアに向かって反射される光が前記ディスプレイデバイスのスクリーンカラーに実質的に適合するように、放射されるアンビエンス光の色を、受信した壁の前記色情報に応じて調節するためのプロセッサと、
を有し、
前記入力手段は、当該アンビエンス照明システムのセットアップ段階の間に、前記ディスプレイデバイスに表示される複数の色の中から、壁の色に適合する色を選択するように、ユーザにより手動で操作される、
アンビエンス照明システム。
【請求項２】
前記ディスプレイデバイスは、複数のカラーフレームを表示し、
前記入力手段は、前記複数のカラーフレームの中から、壁の色に適合する色をもつカラーフレームを選択する、ユーザからの入力を受信する、
請求項１に記載のアンビエンス照明システム。
【請求項３】
前記ディスプレイデバイスは、前記少なくとも１つの光源の色領域を表すカラートライアングルの少なくとも一部を表示し、
前記入力手段は、表示されたカラートライアングル部分上のカラーポイントを選択することにより、壁の色を示す、ユーザからの入力を受信する、
請求項１に記載のアンビエンス照明システム。
【請求項４】
前記ディスプレイデバイスは、ユーザによる操作に応じて表示する色を変更し、
前記入力手段は、前記ディスプレイデバイスに表示される色が、壁の色に適合する色となるように、ユーザにより手動で操作される、
請求項１に記載のアンビエンス照明システム。
【請求項５】
前記プロセッサは、壁の前記色情報と前記少なくとも１つの光源により放射されるべき色とを関連付ける予め規定された基準のセットに応じて、前記放射されたアンビエンス光の色を調節する、請求項１から４のいずれか一項に記載のアンビエンス照明システム。
【請求項６】
前記予め規定された基準のセットは、受信した入力色情報と前記少なくとも１つの光源により放射されるべき色とを関連付けるルックアップテーブルを含む、請求項５に記載のアンビエンス照明システム。
【請求項７】
ディスプレイデバイスの背後の壁にアンビエンス光を放射するための、前記ディスプレイデバイスの周辺又はその背面に取り付けられた少なくとも１つの光源を含む前記ディスプレイデバイス用のアンビエンス照明システムを動作させる方法であって、
壁の色を示す色情報を受信するステップと、
壁から前記ディスプレイデバイスの表示エリアに向かって反射された光が前記ディスプレイデバイスのスクリーンカラーに実質的に適合するように、放射されるアンビエンス光の色を、受信した壁の前記色情報に応じて調節するステップとを有し、
色情報を受信するステップにおいて、前記ディスプレイデバイスに表示される複数の色の中から、壁の色に適合する色を選択するように、ユーザによる手動の操作を受け付ける
方法。
【請求項８】
前記色情報を受信するステップは、
前記ディスプレイデバイスに、複数のカラーフレームを表示するステップと、
前記複数のカラーフレームの中から、壁の色に適合する色をもつカラーフレームを選択するユーザからの入力を受信するステップと、
を有する請求項７に記載の方法。
【請求項９】
前記色情報を受信するステップは、
前記少なくとも１つの光源の色領域を表すカラートライアングルの少なくとも一部を表示するステップと、
表示されたカラートライアングル部分上のカラーポイントを選択することにより、壁の色を示す、ユーザからの入力を受信するステップとを有する、請求項７に記載の方法。
【請求項１０】
前記色情報を受信するステップは、
ユーザによる操作に応じて前記ディスプレイデバイスに標示する色を変更するステップと、
前記ディスプレイデバイスに表示される色が、壁の色に適合する色となるように操作する、ユーザからの入力を受信するステップと、
を有する請求項７に記載の方法。
【請求項１１】
色を調節するステップは、
受信した壁の前記色情報に基づいて反対色を決定するステップであって、この決定が基準白色点の値に従って行われる、ステップと、
前記少なくとも１つの光源により放射されるべき色の反対色ポイント上の更新された白色点の値で行列を計算するステップであって、前記行列が調節された色情報を含む、ステップとを有する、請求項７から１０のいずれか一項に記載の方法。
【請求項１２】
コンピュータデバイス上で実行するときに処理ユニットが請求項７から１１のいずれか一項に記載の方法ステップを実行するように命令する、コンピュータプログラム。
【請求項１３】
請求項１から６のいずれか一項に記載されたアンビエンス照明システムを有する、ディスプレイデバイス。
【請求項１４】
当該ディスプレイデバイスは、ＬＣＤデバイス、プラズマデバイス、有機発光ダイオード（ＯＬＥＤ）デバイス、投射スクリーンから選択される、請求項１３に記載のディスプレイデバイス。
【発明の詳細な説明】
【技術分野】
【０００１】
本発明は、ディスプレイデバイス用のアンビエンス照明システム及び斯様なアンビエンス照明システムを動作させる方法に関する。
【背景技術】
【０００２】
近年において、いわゆるアンビエントＴＶが市場に導入されている。斯様なＴＶは、そのＴＶの周辺に設けられた光源を含み、これらの光源は、放射された光が示されたビデオに適合するように、ＴＶの背後の壁にアンビエンス光を放射する。その効果は、より大きな仮想スクリーンであり、良好な視聴体験である。しかしながら、この良好な視聴体験は、壁の色に多少制限される。白い壁に関しては、視聴体験が典型的には最大であるのに対し、着色された壁に関しては、視聴体験は同じものにはならないだろう。
【発明の概要】
【発明が解決しようとする課題】
【０００３】
本発明の目的は、前述した欠点を克服し、視聴体験が特定の壁の色に制限されないようにすることにある。
【課題を解決するための手段】
【０００４】
一態様によれば、本発明は、ディスプレイデバイス用のアンビエンス照明システムであって、前記ディスプレイデバイスの背後の壁にアンビエンス光を放射するための、前記ディスプレイデバイスの周辺又はその背面に取り付けられた少なくとも１つの光源と、壁の色を示す色情報を受信するための入力手段と、壁から前記ディスプレイデバイスの表示エリアに向かって反射される光が前記ディスプレイデバイスのスクリーンカラーに実質的に適合するように、放射されたアンビエンス光の色を、壁の受信した色情報に調節するためのプロセッサとを有する、アンビエンス照明システムに関する。
【０００５】
それ故、壁から反射された色がスクリーンカラーと異なるようには見えないように、アンビエンス光をディスプレイデバイスの観察者の家の状態にカスタマイズすることができる。この手法において、より多くの人が、反射された色と表示色との間の一定のミスマッチを伴うことなく、色効果を十分に楽しむことができる。
【０００６】
一実施形態において、入力手段は、アンビエンス照明システムのセットアップ段階の間に壁の色を選択するように、ユーザにより手動で操作される。
【０００７】
それ故、ユーザが壁の色に対するアンビエントカラーを改善することを可能にし、壁から反射されたほとんどのアンビエントカラーに適合する色をユーザが選択可能な低コストソリューションが提供される。
【０００８】
一実施形態において、受信した色情報は、自動壁色検出システムから取得される。
【０００９】
一実施形態において、プロセッサは、壁の色情報と少なくとも１つの光源により放射されるべき色とを関連付ける予め規定された基準のセットに応じて、放射されたアンビエンス光の色を調節する。
【００１０】
一実施形態において、予め規定された基準のセットは、受信した入力色情報と少なくとも１つの光源により放射されるべき色とを関連付けるルックアップテーブルを含む。
【００１１】
他の態様によれば、本発明は、ディスプレイデバイスの背後の壁にアンビエンス光を放射するための、前記ディスプレイデバイスの周辺又はその背面に取り付けられた少なくとも１つの光源を含む前記ディスプレイデバイス用のアンビエンス照明システムを動作させる方法であって、壁の色を示す色情報を受信するステップと、壁から前記ディスプレイデバイスの表示エリアに向かって反射された光が前記ディスプレイデバイスのスクリーンカラーに実質的に適合するように、放射されたアンビエンス光の色を、壁の受信した色情報に調節するステップとを有する、方法に関する。
【００１２】
一実施形態において、色情報を受信するステップは、少なくとも１つの光源の色領域を表すカラートライアングル（color triangle）の少なくとも一部を表示するステップと、表示されたカラートライアングル部分上のカラーポイントを選択することにより、壁の色を示す、ユーザからの入力を受信するステップとを有する。
【００１３】
一実施形態において、色を調節するステップは、受信した入力色に基づいて反対色を決定するステップであって、この決定が基準白色点の値に従って行われる、ステップと、前記少なくとも１つの光源により放射されるべき色の反対色ポイント上の更新されたホワイトポイント値で行列を計算するステップであって、前記行列が調節された色情報を含む、ステップとを有する。
【００１４】
更に他の態様によれば、本発明は、プロダクトがコンピュータデバイス上で実行するときに処理ユニットが前述した方法ステップを実行するように命令するためのコンピュータプログラムプロダクトに関する。コンピュータデバイスは、任意のタイプのディスプレイデバイス、斯様なディスプレイデバイスに一体化されたコンピュータデバイス、又は、前記ディスプレイデバイスに結合された外部コンピュータデバイスであってもよい。
【００１５】
更に他の態様によれば、本発明は、前記アンビエンス照明システムを有するディスプレイデバイスに関する。
【００１６】
一実施形態において、前記ディスプレイデバイスは、ＬＣＤデバイス、プラズマデバイス、有機発光ダイオード（ＯＬＥＤ）デバイス、投射スクリーンから選択される。
【００１７】
本発明のこれらの態様は、それぞれが他の態様のうちいずれかと組み合わせられてもよい。本発明のこれら及び他の態様は、後述される実施形態から明らかになり、これらの実施形態を参照して説明されるだろう。
【００１８】
本発明の実施形態は、図面を参照して、単なる例により説明されるだろう。
【図面の簡単な説明】
【００１９】
【図１】本発明のディスプレイデバイス用のアンビエンス照明システムを示す。
【図２】例えばユーザがディスプレイデバイスの背後の壁の色を示す色情報を選択することによりアンビエントシステムを設定する状況を図示する。
【図３】ディスプレイデバイスの設定段階の間にディスプレイデバイスのユーザに対して表示され得る、図４に示されるカラートライアングルからの色領域の一部を示す。
【図４】カラートライアングルを示す。
【図５】図４におけるカラートライアングルに加えて、純白色が表示されたときに反射される色を表すポイントを示す。
【図６】ディスプレイデバイス用のアンビエンス照明システムを動作させる、本発明の方法のフローチャートを示す。
【発明を実施するための形態】
【００２０】
アンビエンス照明システムを有するＴＶ等のディスプレイデバイスは、ＴＶの背後の壁にアンビエンス光（アンビライト）を放射することに基づいており、アンビエンス光は、好ましくはスクリーン上に表示された色にできるだけ近い色に適合する。この光は、ＴＶ装置の両側に隣接した壁に"後光"を形成する。壁上の知覚された色は、壁がディスプレイ及びアンビライトと同一の白色点を伴う白色を有する（用いられる白色点が６５００Ｋ又は最も一般的な１１０００Ｋである）場合にだけ、表示色と正確に適合する。それ故、ユーザが完全な白色（完全な白色においては、壁上の測定されたアンビエント色温度は正確には１１０００Ｋになるだろう）とは異なる壁をもつ場合には、知覚された色は、１１０００Ｋの白色にはならず、例えば少しベージュ色になるだろう。これは、実際には、色適合が完全になるのは極めてまれであることを意味する。
【００２１】
図１は、本発明のディスプレイデバイス１０４用のアンビエンス照明システム１００を示しており、このシステムの目的は、正確な白色とは異なる壁の色が依然として壁上に正確なアンビライト後光色を有するように、即ち壁の色が表示色に適合するように、放射されたアンビライト色を、ディスプレイデバイス１０４の背後の壁上の実際の色に適合させることにある。本ディスプレイデバイスは、ＬＣＤデバイス、プラズマデバイス、有機発光ダイオード（ＯＬＥＤ）デバイス、投射スクリーン等であり得る。
【００２２】
本システムは、少なくとも１つの光源（L_S）１０３、入力手段（I_M）１０１及びプロセッサ（P）１０２を有する。少なくとも１つの光源（L_S）１０３は、ディスプレイデバイス１０４の背後の壁１０７にアンビエンス光を放射するために、ディスプレイデバイス１０４の周辺又はその背面に取り付けられる。これらの光源は、例えば、ディスプレイデバイスの１又はそれ以上の側部の周辺、又は、ディスプレイデバイス１０４の後部に取り付けられる発光ダイオード（ＬＥＤ）又は冷陰極蛍光ランプ（ＣＣＦＬ）を含み得る。
【００２３】
入力手段（I_M）１０１は、壁の色を示す色情報を受信するように適合される。入力手段（I_M）１０１は、アンビエンス照明システムの設定段階の間において壁の色を選択するように、ユーザにより操作されてもよい。入力手段は、例えば、リモコン装置、キーボードを描き出すディスプレイデバイス上に表示されたタッチボタンインタフェース、音声コマンドシステム等を含んでもよい。これは、図２と組み合わせてより詳細に述べられるだろう。また、色情報は、自動的に又はユーザ１０５からのコマンドを介して壁の色を検出する壁色検出システムにより与えられてもよい。
【００２４】
プロセッサ（P）１０２は、壁１０７からディスプレイデバイス１０４の表示エリアに向かって反射される光がディスプレイデバイスのスクリーンカラーと実質的にマッチするように、放射されたアンビエンス光の色を、壁の受信した色情報に調節するように適合される。
【００２５】
この調節は、壁の色情報を少なくとも１つに光源により放射されるべき色に関連する予め規定された基準のセットに応じて行われ得る。これらの基準のプリセットは、壁１０７から反射された色と表示される色との間で適合が得られるように、受信した入力色情報を、少なくとも１つの光源により放射されるべき色と関連付けるルックアップテーブルの形式であってもよい。このルックアップテーブルは、反射された色がディスプレイ上の色に可能な限り近い色に適合するように、少なくとも１つの光源により放射された色と反射された色との間の依存関係が解析される一種の較正テーブルであり得る。"ディスプレイ上の色"という表現は、ディスプレイ上の周辺の異なる領域、例えばその周辺の右側での色を意味する。これは、ディスプレイデバイス１０４の右側の光源により放射された色が、右側の壁１０７から反射された光がディスプレイ上の右側の色に可能な限り近い色に適合するようになることを意味する。この右側（及び残りの側部）は、例えば光源の集合がこれらの領域に属するような下位領域に分割されてもよい。それ故、例えば右側の上側部分が赤色光を示す場合には、この領域内の光源からの放射される光は、反射された光が赤色になるように光を放射する。同じことがディスプレイの残りの側部にも当てはまる。ディスプレイ上の色は、平均色又は主色を意味してもよい。斯様な状況において、全ての光源は、反射された色がこの主色又は平均色に可能な限り近い色に適合するように、同一色を放射するだろう。
【００２６】
光源が赤色／緑色／青色ＬＥＤであると仮定すると、一般に、白色は、１００％の赤色、１００％の緑色及び１００％青色の組み合わせである。これは、全ての光源が１００％駆動する場合には白色をもたらすことを意味する。しかしながら、白色の幾つかの取り得る色合いが存在する。白色は、青みがかったもの（冷白色；cool white）又はより赤緑色に向かったもの（温白色；warm white）であり得る。例えばテレビにおいて、白色の色合いについて説明するために用いられる予め規定された値が存在する。即ち、冷白色は、１１０００Ｋの色温度をもち、通常の白色は、９３００Ｋの色温度をもち、温白色は、６５００Ｋの色温度をもつ。また、白色は、カラートライアングルの座標ｘ，ｙにより規定される。例えば、温白色は、ｘ＝０．３１２及びｙ＝０．３２２をもつ。適切なタイプのＬＥＤが斯様なアンビライトシステム１００における光源として用いられ、１００％で駆動される場合には、幾つかの種類の白色をもたらすだろう。典型的には、この白色は、用いられ得る値のうちの１つに等しくない。従って、一実施形態において、３×３行列が規定され、これは、所望の色温度に応じて良好な白色を得るためにどれくらいの赤色、緑色及び青色が実際に駆動されるべきかを規定する。また、前記行列は、サービス目的で赤色、緑色及び青色のための利得係数を有してもよい。この手法において、工場又はサービスの技術者は、幾つかの理由でディスプレイデバイスに用いられた全ての光源が同一の白色を示すとは限らない場合に、色温度を容易に調節することができる。この追加のゲインファクタの目的は、迅速なサービス目的に関して有利であり得る。幾つかの理由で光源が完全に配列されないか又は幾つかの光源において時間とともに退色が存在する場合には、サービス提供者は、例えば難しい行列再計算や光源の再配列を伴うことなく、幾つかのより多くの赤色を（見つけ次第）容易に追加することができる。それ故、壁の色とは反対のカラーシフトを光源に与えることが可能となる。
【００２７】
図２は、例えばユーザ１０５がディスプレイデバイス１０４の背後の壁の色を示す色情報を選択することによりアンビライトシステム１００をセットアップするという状況を図示している。これを行う一の手法は、適切なセットアップボタンを押すことにより例えばリモコン装置２０１を介して"設定支援（Setting Assistance）"又は類似のものを選択することによるものである。これらのセットアップの特徴のうちの一つは、アンビライトシステムをセットアップするためのものである。ユーザ１０５の選択は、ユーザがメニューにおいて何かを変更するか、又は、設定支援を再び押して彼の嗜好を変えるまで、ＴＶ設定として保存され利用されるだろう。アンビライト設定を含む全てのＴＶ設定を元の状態に戻す工場回収条件が存在してもよい。
【００２８】
ここで示されるように、ディスプレイデバイス１０４は、ＴＶデバイス（例えばＬＣＤＴＶ）であり、入力手段は、ＴＶリモコン装置である。アンビライトシステムの"設定支援"を選択した後、ユーザがＴＶの背後の壁１０７の色を選択した場合に、ユーザに種々のセットアップが与えられ得る。これは、例えば複数のカラーフレーム２０２を表示し、ユーザ１０５がコントロールカーソル２０３を用いて、壁１０７の色に適合する色をもつ、複数のカラーフレームのうちの１つを選択することによって行われてもよい。これは、その隣の３つのスライダ（赤色、緑色及び青色）を伴うスクリーン上の矩形、保存ボタン、及び、顧客がどのようにアンビライト性能を調節／改善するかを顧客に説明するテキストメッセージを表示することにより行われてもよく（図示省略）、表示された矩形色が壁に可能な限り近い色に適合するまでこれらのスライダがリモコン装置２０１を介して操作されるコントロールカーソル２０３で調節され得る。正しい色を見つけた後、例えばリモコン装置上の適切な保存ボタンを押すことにより、受信した色情報が保存される。他の状況において、カラートライアングルの一部がＴＶスクリーン及び選択された色を表すその下の大きな矩形上に表示されてもよい（図３参照）。カーソル２０３により、ユーザ１０５は、壁の色に向かって移動し、より大きな矩形上でこれを確認する。適合がＯＫになると、ユーザはその設定を保存する。
【００２９】
前に述べられたように、色情報を選択した後、ユーザは、壁１０７の色情報を入力する。前に述べられた実施形態によれば、これらの色情報の裏で、ルックアップテーブルがあってもよく、これは、壁１０７から反射された色がディスプレイデバイス１０４上の色と同一又はほぼ同一になるように、入力された色情報が放射されるべき色に関連付けられる。
【００３０】
選択された色情報は、放射されるべきアンビライトカラーのための新規の白色点及び行列を計算するために用いられてもよい。これは、以下の手法において機能し得る。アンビライト光源が、黒体曲線（black body curve）上の１１０００Ｋの色行列及び白色点（座標ｘ０．２７５，ｙ０．２８３）でプログラムされた初期設定である。壁の色は、初期設定１１０００Ｋの白色点とは異なるカラートライアングル上のポイントを表す色座標を与える。直線により１１０００Ｋの白色点に対して壁のカラーポイントをミラーリングすることにより、一方のものは、光源１０３のための新たな白色点の基準として用いられ得る新たなカラーポイントとなる。それ故、一方のものは、光源１０３用のベースとしての壁色の反対のような色となる。この方法は、"パステル"状の壁の色に対して特に良好に機能する。そして、光源１０３は、２つの行列に関連付けられ、一方がデフォルト利得係数を伴う初期設定１１０００Ｋの行列であり他方が新たにカスタマイズされた行列である。カスタマイズされた行列は、ユーザが設定支援を介して又は全て（ピクチャ、サウンド、アンビライト等）が工場出荷時の設定に戻される工場回収を介して新たな変更を行うまで用いられるだろう。ＴＶ設定の工場回収が行われたときには、カスタマイズされた行列は消去され、初期設定の行列が再び選択されるだろう。
【００３１】
壁上の知覚されたアンビライトカラーを修正する他の方法は、サービス目的のために行われる際に、前記行列をそのままにして、各色のための利得係数だけを調節することによるものである。
【００３２】
この実施形態の動作原理の他の説明のために、図３は、図４におけるカラートライアングル４０１からの色領域の一部３００を示し、これは、セットアップ段階の間にディスプレイデバイス１０４のユーザ１０５に対して表示され、ユーザはこの間を選択し得る。図４のカラートライアングルは、元の白色点から開始して照明デバイスの主要色に向かうように描かれた３つの追加の線を伴って示される。この部分は、アンビエンス照明システム１００、例えばＬＥＤの光源１０３の色領域３００を表し、この部分３００の範囲内の全ての色は、光源により放射され得る色である。色領域３００の中心は、Ｅ ３０２で示された所与の白色点を示す。これは、温６５００Ｋ白色点の一例である。
【００３３】
図５は、図４におけるカラートライアングル４０１に加えて、純白色が表示されたときに、反射された色（黄色）を表す点Ｕ ５０１を示している。ここで、壁の色は黄色である。点Ｕ ５０１をミラーリングすることにより、即ち、点Ｕ ５０１から元の白色点Ｅ ３０２を介して新たな点Ｃに向かって直線（ＥからＵまでの距離はＣからＥまでの距離と同じである）を描くことにより、新たな点Ｃ ５０２は、点Ｕの反対色を表すように取得される。図４で示されるような元の白色点Ｅ ３０２から開始するように描かれた３つの追加の線を伴うカラートライアングルを示す代わりに、３つの追加の線は、黄色がかった壁（点Ｕ ５０１）の場合において新たな白色点Ｃ ５０２から開始する。それ故、元の白色点Ｅ ３０２の（ｘ，ｙ）座標に対するこの点Ｃ ５０２の（ｘ，ｙ）座標は、光源により放射されるべき光の色のための新たな行列又は必要とされる修正係数を計算するために用いられ得る。この状況は、新たな白色点がどのように決定され得るか、それ故に放射された白色光の色情報がどのようなものであるべきかについて説明している。
【００３４】
ディスプレイが例えば完全な白色から完全な緑色に向かって遷移する場合には、これは、図４及び５において、黄色線が白色から緑色に向かう場合にどのような色が表示されるかを示し得る。図５の場合において、図４の場合に対して可視的なはっきりしたカラーシフトが存在する。最も大きなシフトは白色点の近くで行われ、最も小さなシフトは緑色のポイントの近くで行われる。これは、（緑色に近い）非常に飽和した色が壁の色に渡って支配的であることから大きなシフトをもはや必要としないので当然である。
【００３５】
シフトされた色が、ＬＥＤシステムのカラートライアングルの外側となる場合には、ＬＥＤシステムがこの三角の内側又はその縁部上の行列だけを表示することができることから、表示された色は、この三角の縁部上になることが留意されるべきである。
【００３６】
〔例〕
壁から反射される色を表示される色に適合させるためには（光源は発光ダイオード（ＬＥＤ）であると仮定される）、ＬＥＤの原色及び白色点がディスプレイシステムのものと適合することが非常に重要である。実際には、これはめったに当てはまるものではなく、従って、放射されたＬＥＤ出力を補正するために３×３行列が必要とされる。
【００３７】
以下の原色をもつＬＥＤシステムが必要とされると仮定する。
【数１】
0005534531.tif 000002
ｘ＝０．３１２及びｙ＝０．３２２上の６５００Ｋの温白色点が望ましいと仮定する。
【００３８】
そして、補正行列は、元のＬＥＤシステムの原色及び光の出力から計算され得る。換言すれば、赤色、緑色及び青色に関して、元の座標がどこであるか、及び、どれくらいの光が各色から出てくるかを知るために必要である。
【００３９】
実際の状況により、以下の値が測定された。
【数２】
0005534531.tif 000003
【００４０】
ｘ及びｙの値は、赤色（ｒ），緑色（ｇ）及び青色（ｂ）の座標であり、Ｙは、ｒ，ｇ及びｂのNits（Cd/cm2）における光出力である。
【００４１】
これらの値は、補正行列をもたらす計算アルゴリズム（この場合においてはマスキャド（Mathcad）計算が適用された）のための入力である。
【００４２】
特定の場合において、マスキャド出力の結果は、
【数３】
0005534531.tif 000004
である。
【００４３】
これは、用いられるべき元の行列であり、カラートライアングル上の白色点Ｅをもたらす（図３〜５参照）。
【００４４】
各値の後の"h"は、これらの値が１０進数ではなく１６進数であることを意味する。
【００４５】
第１のラインは、赤色のためのものであり、Arrが完全な赤色を表し、Agrが赤色に付加される緑色の量を表し、Abrが赤色に付加される青色の量である（0b5は赤色値であり、42はこの赤色に付加される緑色の量であり、8は赤色に（少量だけ）付加される青色の量である）。換言すれば、ディスプレイが例えばスクリーン上で完全な赤色を有し、これが照明システム（ＬＥＤ）に適合される場合には、ＬＥＤは、以下のように駆動される必要がある。（0h〜FFh（１０進数では０〜２５５）のスケーリングで）B5hの値で赤色ＬＥＤを駆動させ、42hの値で緑色ＬＥＤを駆動させ、8hで青色ＬＥＤを駆動させる。
【００４６】
これは、その中に緑色の重要な量が存在することから、オレンジ色の傾向にある赤色をもたらす。
【００４７】
第２のラインは、緑色であり、Aggは完全な緑色であり、Argは緑色における赤色の量であり、Abgは緑色における青色の量である。0e1は緑色の値であり、0f及び5はそれぞれ緑色に付加された赤色及び青色の量である。
【００４８】
最後のラインは、青色であり、Abbは完全な青色であり、Arbは青色における赤色の量であり、Agbは青色における緑色の量である。86は青色の値であり、2及び6はそれぞれ青色に付加される赤色及び緑色の量である。
【００４９】
これらの行列の値は、ＬＥＤを駆動させるプロセッサ（マイクロプロセッサ）に対してプログラムされる。完全な白色壁では、ユーザは、ディスプレイに適合するアンビライトカラーを見るだろう。
【００５０】
黄色がかった壁を伴った先の例（図５）によれば、白色が放射されたときにユーザが見る壁は、カラートライアングル上でｘ＝０．４及びｙ＝０．３８の座標をもつ。
【００５１】
可能なユーザ選択の裏側で、反対色座標をもつルックアップテーブルが存在する。この場合において、座標は、ｘ＝０．２６２及びｙ＝０．２８になるだろう（図５のポイントＣ参照）。
【００５２】
マスキャドによれば、新たな行列は、以下の結果を与えるように計算され得る。
【数４】
0005534531.tif 000005
【００５３】
これらは、プロセッサが壁に適合した値で光源を駆動させるように動作する行列値である。
【００５４】
今後、このモジュールは、紫がかる、即ち青白くなり、壁の色で混合されたときに通常の知覚された温白色をもたらす。
【００５５】
図６は、ディスプレイデバイスの背後の壁上にアンビエンス光を放射するための、ディスプレイデバイスの周辺又はその背面に取り付けられた少なくとも１つの光源を含むディスプレイデバイス用のアンビエンス照明システムを動作させる、本発明の方法を示している。
【００５６】
ステップ（Ｓ１）６０１において、壁の色を示す色情報が受信される。図１及び図２において前述したように、これは、ユーザからの手動入力を介して、又は、自動壁色検出システムを介して行われる。一実施形態において、色情報を受信するステップは、少なくとも１つの光源の色領域の一部を表すカラートライアングルの一部を表示するステップと、表示されたカラートライアングル上の色ポイントを選択することにより、壁の色を示すユーザからの入力を受信するステップとを有する。
【００５７】
ステップ（Ｓ２）６０３において、放射されたアンビエンス光の色は、壁からディスプレイデバイスの表示エリアに向かって反射された光がディスプレイデバイスのスクリーン色に実質的に適合するように、壁の受信した色情報に調節される。図１及び図２によれば、斯様な調節は、例えば、壁の色情報と少なくとも１つの光源により放射されるべき色とを関連付ける予め規定された基準のセットを介して実行され得る。予め規定された基準のセットは、受信した入力色情報と少なくとも１つの光源により放射されるべき色とを関連付けるルックアップテーブルの形式である。先に述べられたように、斯様な調節も、少なくとも１つの光源の色領域を表すカラートライアングルの少なくとも一部を表示することにより行われ得る。そして、反対色が、受信した入力色に基づいて決定され、この決定は、基準白色点の値に応じて行われる。最後に、行列は、少なくとも１つの光源により放射されるべき色に関する反対色ポイント上の更新された白色点の値で計算される。更なる説明については、図３〜５を参照されたい。
【００５８】
図２に示されるように、これらの方法ステップの実装の典型的な状況は、例えば新たなアンビライトＴＶデバイスの購入者が、ＴＶを導入するか又はユーザがＴＶの背後の壁を塗ったという理由でその導入を変更したい場合のものである。ユーザは、ＴＶのリモコン装置を介して"設定支援"を入力し、その後、ユーザは、"アンビライト設定"又は類似のものを選択する。図２で前述したように、グラフィカルユーザインタフェースは、ＴＶ上に表示され、ユーザは、例えばリモコン装置（スクロール機能）を介して背景壁の色を選択する。
【００５９】
開示された実施形態の特定の詳細は、本発明の明確な及び完全な理解を与えるために、限定よりもむしろ説明の目的で記載されている。しかしながら、本発明が、この開示の精神及び範囲から逸脱することなく、ここに記載された詳細に正確に一致しない他の実施形態において実施され得ることが、当業者により理解されるべきである。更に、この文書において、並びに、簡潔さ及び明確さの目的で、良く知られた装置、回路及び方法論の詳細な説明は、不必要な詳細及び起こり得る混乱を回避するために省略されている。
【００６０】
参照符号が請求項に含まれているが、これらの参照符号の包含は、単に明確さの理由のためのものであり、請求項の範囲を限定するものとして考慮されるべきではない。
【図１】
0005534531.tif 000006
【図２】
0005534531.tif 000007
【図３】
0005534531.tif 000008
【図４】
0005534531.tif 000009
【図５】
0005534531.tif 000010
【図６】
0005534531.tif 000011